(57)【特許請求の範囲】
【請求項１】
入力された操作者の識別情報を用いて所定の取引処理を行う現金処理機において、
表示手段と、
入力された操作者の識別情報を記憶する記憶手段と、
前回の取引に係る操作者の識別情報でログインされた状態で、今回の取引を実行する際に、当該今回の取引に係る操作者の識別情報と、上記記憶手段に記憶されている前回の取引に係る操作者の識別情報との同一性を確認する識別情報確認手段と、
上記識別情報確認手段により識別情報の同一性を確認されると、入力された識別情報を確認させる確認画面を上記表示手段に表示する表示制御手段と
を備え、
上記記憶手段が、取引未完了のときでも、入力された操作者の識別情報を記憶するものである
ことを特徴とする現金処理機。
【請求項２】
上記識別情報確認手段が、当該取引実行の前に、操作者の識別情報の同一性を確認し、
上記表示制御手段が、当該取引実行の前に、上記確認画面を上記表示手段に表示する
ことを特徴とする請求項１に記載の現金処理機。
【請求項３】
上記表示制御手段が、操作者の識別情報の変更要求を受けると、操作者の識別情報の入力画面を上記表示手段に表示することを特徴とする請求項１又は２に記載の現金処理機。
【請求項４】
入力された操作者の識別情報を用いて所定の取引処理を行う現金処理機において、
表示手段と、
入力された操作者の識別情報を記憶する記憶手段と、
取引実行の際に、当該取引に係る操作者の識別情報と、上記記憶手段に記憶されている操作者の識別情報との同一性を確認する識別情報確認手段と、
上記識別情報確認手段により識別情報の同一性を確認されると、入力された識別情報を確認させる確認画面を上記表示手段に表示する表示制御手段と、
操作者の識別情報と取引結果とを対応付けた１又は複数の取引情報を記憶する取引情報記憶手段と、
上記取引情報記憶手段に記憶されている上記各取引情報の操作者の識別情報を修正する取引情報管理手段と
を備えることを特徴とする現金処理機。
【請求項５】
上記取引情報管理手段が、
権限者の確認後、指定された修正対象の取引情報を、上記取引情報記憶手段から検索して上記表示手段に表示する対象情報検索部と
上記対象情報検索部により検索された取引情報の操作者の識別情報を、入力された正しい操作者の識別情報に修正して上記取引情報管理手段に記憶する修正部と、
を有することを特徴とする請求項４に記載の現金処理機。
【請求項６】
上記修正部が、上記対象情報検索部により検索された１個の操作者の識別情報に対応する取引情報を、複数の操作者の識別情報に対応する取引情報に分けて修正することを特徴とする請求項５に記載の現金処理機。
【発明の詳細な説明】
【技術分野】
【０００１】
本発明は、現金処理機に関し、例えば、入力された操作者の識別情報を用いて、入金処理や出金処理等の取引を行う現金処理機に適用し得るものである。
【背景技術】
【０００２】
例えば、商業施設や金融機関の店舗等には、入出金処理等を行なう現金処理機が配置されている。従来の現金処理機は、入出金処理等の取引を行う前に、操作者本人の識別情報（例えば、ユーザＩＤ等）の入力を受け付け、識別情報に取引内容を対応付けた取引情報を管理している（特許文献１参照）。
【先行技術文献】
【特許文献】
【０００３】
【特許文献１】特開２００９−２１１３４５号公報
【発明の概要】
【発明が解決しようとする課題】
【０００４】
しかしながら、従来の現金処理機は、入力された識別情報自体が、操作者本人のものであるか否かの確認処理を行なっておらず、誤った識別情報で取引を完了させてしまうというおそれがあった。
【０００５】
例えば、操作者が識別情報を誤入力してしまうことがあり、その場合に、入力された識別情報を確認することができない。また例えば、別の操作者が識別情報を入力した後に、この別の操作者が取引内容をキャンセルして、当該別の操作者が現金処理機から離れてしまうことがある。その後、当該別の操作者の識別情報でログインした状態で、次の操作者が現金処理機を操作すると、別の操作者の識別情報を用いて取引が完了してしまうことがある。
【０００６】
また、識別情報の間違いを防止する方法として、各取引前に、識別情報の認証処理や生体認証等を行なう方法もある。しかし、この場合、取引毎に、毎回認証処理を行う必要があるため、操作の煩わしさや操作時間の増大が問題となる。
【０００７】
そのため、操作者の操作性や操作時間の軽減を図りながら、取引毎に、入力された識別情報が操作者本人のものであるか否かを確認でき、識別情報を修正することができる現金処理機及び現金処理プログラムが求められている。
【課題を解決するための手段】
【０００８】
かかる課題を解決するために、第１の本発明に係る現金処理機は、入力された操作者の識別情報を用いて所定の取引処理を行う現金処理機において、（１）表示手段と、（２）入力された操作者の識別情報を記憶する記憶手段と、（３）前回の取引に係る操作者の識別情報でログインされた状態で、今回の取引を実行する際に、当該今回の取引に係る操作者の識別情報と、記憶手段に記憶されている前回の取引に係る操作者の識別情報との同一性を確認する識別情報確認手段と、（４）識別情報確認手段により識別情報の同一性を確認されると、入力された識別情報を確認させる確認画面を表示手段に表示する表示制御手段とを備え、記憶手段が、取引未完了のときでも、入力された操作者の識別情報を記憶するものであることを特徴とする。
【０００９】
第２の本発明に係る現金処理機は、入力された操作者の識別情報を用いて所定の取引処理を行う現金処理機において、（１）表示手段と、（２）入力された操作者の識別情報を記憶する記憶手段と、（３）取引実行の際に、当該取引に係る操作者の識別情報と、記憶手段に記憶されている操作者の識別情報との同一性を確認する識別情報確認手段と、（４）識別情報確認手段により識別情報の同一性を確認されると、入力された識別情報を確認させる確認画面を表示手段に表示する表示制御手段と、（５）操作者の識別情報と取引結果とを対応付けた１又は複数の取引情報を記憶する取引情報記憶手段と、（６）取引情報記憶手段に記憶されている各取引情報の操作者の識別情報を修正する取引情報管理手段とを備えることを特徴とする。
【発明の効果】
【００１０】
本発明によれば、操作者の操作性や操作時間の軽減を図りながら、取引毎に、入力された識別情報が操作者本人のものであるか否かを確認でき、識別情報の修正をすることができる。
【図面の簡単な説明】
【００１１】
【図１】第１の実施形態に係る現金処理機の制御系の構成を示すブロック図である。
【図２】第１の実施形態に係る現金処理機の外観構成を示す外観構成図である。
【図３】第１の実施形態に係る現金処理機における取引処理の動作を示すフローチャートである。
【図４】第１の実施形態に係る識別情報入力画面の一例を示す画面図である。
【図５】第１の実施形態に係るメニュー画面の一例を示す画面図である。
【図６】第１の実施形態に係る確認画面の一例を示す画面図である。
【図７】第１の実施形態に係る入金取引の場合の取引結果を示す画面図を示す。
【図８】第２の実施形態に係る現金処理機の制御系の構成を示すブロック図である。
【図９】第２の実施形態に係る現金処理機における識別情報の修正処理の動作を示すフローチャートである。
【図１０】第２の実施形態に係るメニュー画面の一例を示す画面図である。
【図１１】第２の実施形態に係る権限情報入力画面の一例を示す画面図である。
【図１２】第２の実施形態に係る取引選択画面の一例を示す画面図である。
【図１３】第２の実施形態に係る検索情報入力画面の一例を示す画面図である。
【図１４】第２の実施形態に係る対象情報検索表示画面の一例を示す画面図である。
【図１５】第２の実施形態に係る修正情報入力画面の一例を示す画面図である。
【図１６】第２の実施形態に係る修正確認画面の一例を示す画面図である。
【図１７】変形実施形態に係る修正確認画面の一例を示す画面図である。
【図１８】変形実施形態に係る修正情報入力画面の一例を示す画面図である。
【図１９】変形実施形態に係る修正確認画面の一例を示す画面図である。
【発明を実施するための形態】
【００１２】
（Ａ）第１の実施形態
以下では、本発明に係る現金処理機の第１の実施形態を、図面を参照しながら詳細に説明する。
【００１３】
（Ａ−１）第１の実施形態の構成
図２は、第１の実施形態に係る現金処理機１の外観構成を示す外観構成図である。図２に示すように、現金処理機１は、操作・表示部２、識別情報読取部３を有する。
【００１４】
現金処理機１は、例えば、商業施設や金融機関の店舗等に設けられ、操作者本人の識別情報の入力を受け付け、入金処理や出金処理等の取引処理を行うものである。
【００１５】
操作・表示部２は、例えば、操作部と表示部とが一体となったタッチパネル型表示部を適用することができる。この実施形態では、操作・表示部２がタッチパネル型表示部である場合を例示するが、操作・表示部２は、操作部と表示部とが物理的に異なる構成部であっても良い。また、操作・表示部２は、タッチパネル型表示部の他に、別構成の操作部（例えば、スイッチやボタン等）や表示部を含むようにしても良い。
【００１６】
操作・表示部２は、取引種類を選択するメニュー画面や、選択した取引種類毎の操作画面、ユーザ登録画面、管理画面等を表示したり、各表示画面において入力された情報を後述する主制御部１０（図１参照）に与えたりするものである。
【００１７】
また、操作・表示部２は、各種取引前に、操作者本人の識別情報を入力する識別情報入力画面を表示する。ここで、操作者本人の識別情報は、例えば、予め設定されたユーザＩＤ、パスワード等を含むものである。
【００１８】
識別情報読取部３は、操作者本人の識別情報を読み取るものである。例えば、識別情報読取部３は、ＩＣカードに格納されている操作者本人の識別情報を読み取るカードリーダを適用することができる。識別情報読取部３は、例えば、接触方式、非接触方式でＩＣカードから識別情報を読み取るものを適用することできる。
【００１９】
なお、この実施形態では、識別情報は、操作・表示部２の表示画面を通じて入力される場合を例示する。しかし、識別情報読取部３がＩＣカードから識別情報を読み取るようにしても良い。
【００２０】
図１は、第１の実施形態に係る現金処理機１の制御系の構成を示すブロック図である。図１において、現金処理機１は、大別して、主制御部１０、記憶部１２、操作・表示制御部１３を有する。
【００２１】
主制御部１０は、現金処理機１の各種機能を司る処理部又は装置である。主制御部１０は、記憶部１２に記憶されている処理プログラムを実行することで、現金処理機１の各種機能を実現するものである。また、処理プログラムがインストールされることにより、主制御部１０を各種機能部として機能させるものであっても良い。その場合でも、処理プログラムによる実現される機能は図１に示す主制御部１０の機能部を有する。
【００２２】
主制御部１０は、取引処理部１１を有する。また、取引処理部１１は、識別情報取得部１１１、識別情報確認部１１２、確認画面表示部１１３を有する。
【００２３】
取引処理部１１は、現金処理機１で実行することができる各種取引処理を行なうものである。取引処理部１１は、操作・表示部２に表示されたメニュー画面を通じて、操作者の操作により指定された種類の取引処理を行なう。例えば、取引処理部１１は、投入された現金の入金する入金処理、指定された金額の現金を出金する出金処理、両替処理、売上金を集計する集計処理等を行なうことができる。
【００２４】
取引処理部１１は、指定された種類の取引を実行する際に、操作・表示部２の表示画面を通じて操作者本人の識別情報を取得し、入力された取引内容に基づいて取引処理を行なう。また、取引処理部１１は、取引が完了すると、取得した識別情報と取引内容とを対応付けた取引情報を記憶部１２の取引情報ＤＢ１２１に記憶する。
【００２５】
識別情報取得部１１１は、取引実行前に、操作・表示部２から操作者本人の識別情報を取得するものである。なお、識別情報取得部１１１は、識別情報読取部３により読み取られた識別情報を取得しても良い。
【００２６】
識別情報確認部１１２は、当該取引に係る識別情報と、記憶部１２１の識別情報記憶部１２２に記憶されている識別情報とを比較し、当該取引に係る識別情報と識別情報記憶部１２２の識別情報とが一致するか否かを確認するものである。
【００２７】
ここで、識別情報確認部１１２は、取引実行前に、当該取引に係る識別情報と、識別情報記憶部１２２に記憶されている識別情報との同一性を確認する。
【００２８】
後述するように、識別情報記憶部１２２には、取引の際に、入力された識別情報が記憶される。そのため、識別情報確認部１１２は、取引実行の際に、当該取引の際に取得した識別情報と、識別情報記憶部１２２に記憶されている識別情報が一致するか否か、すなわち同一性を確認することができる。
【００２９】
確認画面表示部１１３は、識別情報確認部１１２による確認結果に応じて、識別情報の確認を促す確認画面を操作・表示部２に表示させるものである。つまり、確認画面表示部１１３は、識別情報確認部１１２により当該取引に係る識別情報が直前に入力された識別情報と一致する場合に、操作者に注意喚起させるために、識別情報を確認させる確認画面を操作・表示部２に表示させる。
【００３０】
記憶部１２は、各種取引の処理プログラムや、操作・表示部２に表示する各種表示画面や、処理に必要なデータ等を記憶するものである。また、記憶部１２は、取引情報ＤＢ（データベース）１２１、識別情報記憶部１２２を有する。
【００３１】
取引情報ＤＢ１２１は、当該現金処理機１により実行された取引情報を記憶するものである。取引情報ＤＢ１２１は、例えば、操作者の識別情報、取引種類、取引金額、取引に係る金種枚数、取引日時情報等を対応付けた情報を取引情報として記憶する。
【００３２】
識別情報記憶部１２２は、取引の際に入力された操作者本人の識別情報を記憶するものである。また、識別情報記憶部１２２は、今回の取引の直前の取引だけでなく、今回の取引前の過去数回の取引で入力された複数個の識別情報を記憶するものであっても良い。また、識別情報記憶部１２２は、完了した取引で入力された識別情報だけでなく、完了しなかった取引（未完了取引）で入力された識別情報も記憶する。
【００３３】
一般的に、取引情報は取引完了後に取引情報ＤＢ１２１に記憶される。また、従来は、例えば取引内容が入力されたが、操作者等により取引実行がキャンセルされる等して取引が完了しなかったとき（取引未完了のとき）には、それまでに入力された情報（識別情報や、取引内容情報などを含む情報）は消去されてしまう。
【００３４】
そこで、第１の実施形態では、取引処理部１１が、取引実行前に、当該取引に係る識別情報が、正しい識別情報であるか否かを操作者に確認させるために、識別情報の確認画面を表示できるようにする。
【００３５】
より具体的に、従来、未完了取引の場合、識別情報は消去されてしまう。そこで、第１の実施形態では、識別情報記憶部１２２が入力された識別情報を記憶するようにする。つまり、前回の取引で、識別情報が入力された後に、取引内容がキャンセルされた場合、入力された取引内容は消去されるが、前回の取引で入力された識別情報は識別情報記憶部１２２に記憶されることになる。そして、前回の識別情報でログインされたまま、次の取引内容が入力されてしまうときでも、識別情報確認部１１２が、取引実行前に、当該取引に係る識別情報と、識別情報記憶部１２２に記憶される識別情報とが一致するか否かを確認する。そして、識別情報が一致する場合に、確認画面表示部１１３が確認画面を表示させるようにすることで、操作者本人の識別情報を確認させる。
【００３６】
操作・表示制御部１３は、主制御部１０の制御の下、操作・表示部２に所定の表示画面を表示するものである。操作・表示制御部１３の制御により操作・表示部２に表示する表示画面の詳細な説明については動作の項で詳細に説明する。
【００３７】
（Ａ−２）第１の実施形態の動作
次に、第１の実施形態に係る現金処理機１における取引処理の動作を、図面を参照しながら詳細に説明する。
【００３８】
図３は、第１の実施形態に係る現金処理機１における取引処理の動作を示すフローチャートである。
【００３９】
まず、操作者が現金処理機１の操作・表示部２を操作して、取引が開始する（Ｓ１０１）。
【００４０】
操作・表示制御部１３の制御を受けて、識別情報入力画面が操作・表示部２に表示され、操作者本人の識別情報が入力される（Ｓ１０２）。
【００４１】
図４は、第１の実施形態に係る識別情報入力画面の一例を示す画面図である。図４に例示するように、識別情報入力画面５００は、例えば「ＩＤを入力してください」等のガイダンス表示を有しており、入力された識別情報を表示する識別情報入力部５０１、操作ボタン５０２、入力された識別情報が正しいときに確定させる「確定」ボタン５０３、取引をキャンセルする「キャンセル」ボタン５０４、前の画面に戻す「戻る」ボタン５０５を有する。操作者により操作ボタン５０２が操作されて、操作者本人の識別情報が入力される。
【００４２】
操作・表示制御部１３の制御を受けて、取引種類を選択するメニュー画面が表示され、所望の取引種類が選択される（Ｓ１０３）。
【００４３】
なお、この実施形態では、操作者本人の識別情報の入力を受け付けた後に、取引種類の選択を受け付ける場合を例示している。しかし、取引種類の選択を受け付けた後に、操作者本人の識別情報の入力を受け付ける等のようにしても良い。
【００４４】
図５は、第１の実施形態に係るメニュー画面の一例を示す画面図である。図５では、メニュー画面５１０は、入金と出金と両替の３種類の取引の中から選択できる場合を示している。操作者は、メニュー画面５１０の中から、「入金」ボタン５１１、「出金」ボタン５１２、「両替」ボタン５１３を選択できる。また、メニュー画面５１０は、取引をキャンセルする「キャンセル」ボタン５１４、前の画面に戻す「戻る」ボタン５１５を有する。
【００４５】
識別情報確認部１１２は、操作・表示制御部１３を介して、今回の取引で入力された入力識別情報と、識別情報記憶部１２２に記憶されている前回の取引の識別情報とを比較して、入力識別情報が前回取引の識別情報と一致するか否かを確認する（Ｓ１０４）。
【００４６】
入力識別情報が前回取引の識別情報と一致しない場合、処理はＳ１０７に移行し、所定の取引操作画面が表示され、取引処理部１１は取引処理を実施する（Ｓ１０７）。
【００４７】
一方、入力識別情報が前回取引の識別情報と一致する場合、処理はＳ１０５に移行する。Ｓ１０５では、確認画面表示部１１３が、操作・表示制御部１３に対して確認画面の表示指示を行ない、操作・表示制御部１３が、注意喚起のための確認画面を操作・表示部２に表示する（Ｓ１０５）。
【００４８】
図６は、第１の実施形態に係る確認画面の一例を示す画面図である。図６では、ポップアップ画面である確認画面５２０が表示される場合を例示している。図６の確認画面５２０は、操作者に対して識別情報が前回取引と同じであること、又今回の取引で使用する識別情報の入力変更を行うことを問い合わせるために、例えば「前回取引とＩＤが同じです。ＩＤを変更しますか？」等のガイダンスが表示される。さらに、確認画面５２０は、当該取引で受け付けた識別情報を操作者に示すため、「取引ＩＤ：１２３４５６」等のように識別情報を表示する。これにより、操作者が自身の識別情報を確認することができ、更に必要に応じて識別情報の入力変更も選択することができる。
【００４９】
なお、図６では、当該取引で受け付けた識別情報のみを表示する場合を例示するが、これに限定されるものではない。例えば、現金処理機１が、識別情報、ユーザ名（操作者の氏名）等を管理するユーザ情報ＤＢを有している場合には、当該識別情報に対応するユーザ名等を表示するようにしても良い。
【００５０】
そして、操作者が識別情報の変更を希望し、確認画面５２０上で「はい」ボタン５２１が選択されると（Ｓ１０６）、処理はＳ１０２に移行し、再度、識別情報入力画面５００が操作・表示部２に表示される。これにより、正しい識別情報の入力を受け付けることができ、その正しい識別情報に取引内容を対応付けて管理することができる。
【００５１】
一方、操作者が識別情報の変更を希望せず、確認画面５２０上で「いいえ」ボタン５２２が選択されると（Ｓ１０６）、処理はＳ１０７に移行して、所定の取引操作画面が表示され、取引処理部１１は所定の取引処理を実施する（Ｓ１０７）。
【００５２】
取引処理部１１により所定の取引が終了すると、操作・表示制御部１３は、操作・表示部２に取引結果を表示する（Ｓ１０８）。例えば、図７は、入金取引の場合の取引結果を示す画面図を示す。図７では、入金処理の場合を例示するが、出金処理や両替処理等の場合も同等の画面としても良い。図７に示すように、取引結果画面５３０は、「入金金額：１００，０００円」と、入金金額の金種枚数の内訳とを表示している。
【００５３】
そして、操作者が取引を実行するときには、取引結果画面５３０上の「確定」
ボタン５３２が選択されて（Ｓ１０９）、取引が完了する（Ｓ１１１）。
【００５４】
一方、操作者が取引をキャンセルするときには、取引結果画面５３０上の「キャンセル」ボタン５３１が選択され（Ｓ１０９）、取引処理部１１は取引を中断するキャンセル処理を行ない（Ｓ１１０）、処理はＳ１０３に移行する。例えば、入金処理や両替処理のときには、投入された現金を返却したりする。
【００５５】
このとき、取引処理部１１は、今回の取引で入力された識別情報を、識別情報記憶部１２２に記憶する。これにより、次の取引で比較する識別情報を記憶することができる。
【００５６】
上記のようにすることで、操作者が識別情報の誤入力を防止することができる。また、直前の取引を行なった別の操作者が、取引キャンセルした後に、現金処理機１から離れてしまった場合でも、今回の操作者は、識別情報を確認して、取引完了前に識別情報の入力変更を行うことができる。
【００５７】
（Ａ−３）第１の実施形態の効果
以上のように、第１の実施形態によれば、前回の未完了取引で用いられた識別情報と、今回取引で入力された識別情報とを比較し、一致する場合には、識別情報を確認させる画面を表示することができる。
【００５８】
また、第１の実施形態によれば、注意喚起のための確認画面を表示することで、識別情報の誤入力を防止でき、更には、取引完了前に識別情報の入力変更を行うことができる。
【００５９】
（Ｂ）第２の実施形態
次に、本発明に係る現金処理機の第２の実施形態を、図面を参照しながら詳細に説明する。
【００６０】
（Ｂ−１）第２の実施形態の構成
第２の実施形態に係る現金処理機の外観構成は、第１の実施形態に係る図１に示すものと同一又は対応するものであり、主制御部の機能処理が第１の実施形態の実施形態と異なる。従って、以下では、図１を用いながら、第２の実施形態に係る主制御部の機能処理を説明する。
【００６１】
図８は、第２の実施形態に係る現金処理機１の制御系の構成を示すブロック図である。
【００６２】
図８において、現金処理機１は、第１の実施形態と同様に、主制御部１０Ａ、記憶部１２、操作・表示制御部１３を有する。また、主制御部１０Ａは、取引処理部１１と取引情報管理部２１とを有する。
【００６３】
取引情報管理部２１は、取引情報ＤＢ１２に記憶されている取引情報を管理するものであり、権限ある管理者の操作表示画面を表示する。取引情報管理部２１は、例えば、取引情報ＤＢ１２の取引情報の履歴管理や、取引情報の照会処理、操作者の識別情報の管理（例えば、識別情報の設定、変更、削除等の処理）、取引情報の内容修正処理等を行なうものである。また、取引情報管理部２１は、権限確認部２１１、対象情報検索表示部２１２、データ修正部２１３を有する。
【００６４】
権限確認部２１１は、操作者が権限ある管理者であるか否かを確認するために、権限情報（例えばパスワードやＩＤ等）を取得し、その権限の正当性を確認するものである。
【００６５】
対象情報検索表示部２１２は、権限確認部２１１により権限の正当性が確認されると、操作・表示部２を通じて入力された識別情報を取得し、取引情報ＤＢ１２１を参照して、識別情報に対応する取引情報を検索し、検索した取引情報を操作・表示部２に表示させるものである。また、対象情報検索表示部２１２は、データ修正対象の取引情報の選択を受け付ける。
【００６６】
データ修正部２１３は、操作・表示部２を通じて、正しい識別情報を取得し、データ修正対象の取引情報の識別情報を、前記取得した正しい識別情報に修正するものである。また、データ修正部２１３は、修正後の取引情報を、取引情報ＤＢ１２１に更新する。これにより、間違えた識別情報を使用して取引を実施してしまった場合でも、権限ある管理者の操作により、識別情報の修正を行うことができる。
【００６７】
（Ｂ−２）第２の実施形態の動作
次に、第２の実施形態に係る現金処理機１における識別情報の修正処理の動作を、図面を参照しながら詳細に説明する。
【００６８】
図９は、第２の実施形態に係る現金処理機１における識別情報の修正処理の動作を示すフローチャートである。
【００６９】
まず、操作者が現金処理機１の操作・表示部２を操作して、取引が開始する（Ｓ２０１）。操作・表示制御部１３の制御を受けて、例えば、図４に例示する識別情報入力画面が操作・表示部２に表示され、操作者本人の識別情報が入力される（Ｓ２０２）。
【００７０】
次に、操作表示制御部１３の制御を受けて、取引種類を選択するメニュー画面が表示される。図１０は、第２の実施形態に係るメニュー画面の一例を示す画面図である。図１０に例示するように、メニュー画面５４０は、「管理／編集」ボタン５４１を有する。権限ある管理者が識別情報の修正を希望するときには、「管理／編集」ボタン５４１が選択される（Ｓ２０３）。
【００７１】
メニュー画面５４０上で「管理／編集」ボタン５４１が選択されると、権限の有無を確認するために、例えば、図１１に例示する権限情報入力画面５５０が操作・表示部２に表示され、権限情報入力画面５５０において権限情報としてのパスワードが入力される（Ｓ２０４）。
【００７２】
権限確認部２１１は、権限情報としてのパスワードが、予め設定された登録権限情報（登録パスワード）と一致するか否かを確認する。なお、パスワードが異なる場合は当該処理を終了する。
【００７３】
権限情報としてのパスワードが正当である場合、操作・表示制御部１３の制御により、図１２に例示する取引選択画面５６０が操作・表示部２に表示される。図１２に例示する取引選択画面５６０は、権限ある管理者用のメニュー画面であり、例えば、取引情報のデータ修正をするための「データ修正」ボタン５６１、各操作者の識別情報の一覧情報を表示するための「ＩＤ一覧」ボタン５６２、取引情報履歴を表示するための「取引履歴」ボタン５６３、取引情報を照会するための「照会」ボタン５６４を有する。
【００７４】
そして、管理者操作により、「データ修正」ボタン５６１が選択されると（Ｓ２０５）、操作・表示制御部１３の制御により、検索情報入力画面が操作・表示部２に表示される。
【００７５】
図１３は、第２の実施形態に係る検索情報入力画面５７０の一例を示す画面図である。図１３に例示する検索情報入力画面５７０は、取引情報ＤＢ１２１から、修正を希望する取引情報の識別情報を入力する画面である。管理者操作により、修正を希望する識別情報が入力され（Ｓ２０６）、検索情報入力画面５７０上の「確定」ボタン５７３が選択される。
【００７６】
なお、図１３に例示する検索情報入力画面５７０は、識別情報のみを入力する画面であるが、識別情報のみに限定されるものではない。修正対象の取引情報をより限定して表示するために、修正対象の取引種別や、通番や、取引日時情報、取引日付の検索範囲や取引時間の検索範囲等の全て又は一部の情報を入力できるものであっても良い。
【００７７】
修正希望の識別情報が入力されると、対象情報検索表示部２１２は、取引情報ＤＢ１２１を参照して、入力された識別情報に対応付けられた取引情報を操作・表示部２に表示する。
【００７８】
なお、識別情報の他に、取引種別や取引日時情報や通番などが入力されたときには、対象情報検索表示部２１２は、これらの情報に基づいて取引情報を検索して表示するようにしても良い。また、入力された識別情報に対応付けられた取引情報が、複数ある場合には全ての取引情報を表示し、全ての取引情報の中から、修正対象の取引情報を選択できるようにしても良い。
【００７９】
図１４は、第２の実施形態に係る対象情報検索表示画面５８０の一例を示す画面図である。図１４に例示する対象情報検索表示画面５８０は、入力された識別情報に対応付けられた取引情報の一覧を表示する一覧表示部５８１を有する。
【００８０】
一覧表示部５８１は、識別情報に対応付けられた取引情報を全て表示し、その一覧の中から修正対象の取引情報を選択できる。一覧表示部５８１は、取引種類を示す「取引」、取引日時情報を示す「日時」、取引金額を示す「金額」を項目として有し、各取引情報が表示される。なお、一覧表示部５８１に表示する項目は、これに限定されるものではない。例えば、通番等も表示するようにしても良い。一覧表示部５８１は、取引情報を上下方向にスクロール可能であり、一覧表示部５８１に表示される取引情報の中から希望する取引情報が管理者によって選択される（Ｓ２０７）。
【００８１】
次に、操作・表示制御部１３の制御により、図１５に例示する修正情報入力画面５９０が操作・表示部２に表示され、修正情報入力画面５９０上で正しい識別情報が入力される（Ｓ２０８）。
【００８２】
操作・表示制御部１３は、Ｓ２０７で選択されたデータ移行元の取引情報の内容と、正しい識別情報を有するデータ移行先の取引情報の内容とを確認するため、修正確認画面を操作・表示部２に表示する。
【００８３】
図１６は、第２の実施形態に係る修正確認画面の一例を示す画面図である。図１６に例示するように、修正確認画面６００は、例えば「以下のとおり、データを移行します。よろしければ、確定を押してください。」等のガイダンス表示と、データ移行元の取引情報内容６０１と、データ移行先の取引情報内容６０２とを表示する。
【００８４】
なお、修正箇所が明確になるようにするため、データ移行元の取引情報内容６０１の識別情報と、データ移行先の取引情報内容６０２の識別情報との表示色を、例えば赤色表示、マーカー表示、点滅表示等としても良い。
【００８５】
そして、管理者による確認後、修正を実行しないときには、修正確認画面６００上で「キャンセル」ボタン６０５が選択される（Ｓ２０９）。これにより、処理はＳ２０１に移行し、取引情報の修正は実行されない。
【００８６】
一方、管理者による確認後、修正を実行するときには、修正確認画面６００上で「確定」ボタン６０３が選択される（Ｓ２０９）。データ修正部２１３は、データ移行元の取引情報の内容を、データ移行先の取引情報の内容に修正して（Ｓ２１０）、取引を完了する（Ｓ２１１）。
【００８７】
（Ｂ−３）第２の実施形態の効果
以上のように、第２の実施形態によれば、識別情報を間違えて取引完了させてしまった場合でも、権限ある管理者の操作により、取引情報の内容を修正して、取引結果に対して正しい識別情報を割り当てることができる。
【００８８】
（Ｃ）他の実施形態
上述した各実施形態においても種々の変形実施形態を説明したが、本発明は、以下の変形実施形態にも適用することができる。
【００８９】
（Ｃ−１）上述した第２の実施形態では、１つのデータ移送元を、１つの移行先に移行する場合を例示した。しかし、ある操作者が自身の識別情報を用いて複数の取引処理を一括して行ない、権限ある管理者が適切な複数の操作者の識別情報に振り分けることも考えられる。そこで、第２の実施形態の変形実施形態として、１つの移行元のデータを複数の移行先に移行するようにしても良い。
【００９０】
移行元のデータを複数の移行先に移行させる場合、例えば、図１７に例示するように、「振分」ボタン６１２を有する修正確認画面６１０が操作・表示部２に表示され、管理者の操作により「振分」ボタン６１２が選択されると、図１８に例示するように、修正情報入力画面６２０は、複数の移行先の識別情報及び金額を入力する修正情報入力部６２１及び６２２を有している。図１８の修正情報入力画面６２０において、管理者操作により、複数の移行先の識別情報及び金額が入力される。図１９は、１個のデータ移行元を２個のデータ移行先に振り分けたときの修正確認画面６３０である。その後、図１９の修正確認画面９３０上で「確定」ボタン６３６が選択されると、データ修正部２１３は、１つのデータ移行元の取引情報の内容を、２つのデータ移行先の取引情報の内容に修正して、取引を完了する。
【００９１】
なお、１個の移行元のデータを、複数個の移行先に振り分ける処理は、他の処理を広く適用することができる。例えば、第２の実施形態に係る図１６の修正確認画面が「振替」ボタンを含んでおり、「振分」ボタンが選択されることで、データ修正部２１３が、１個の移行元データを、複数の移行先にデータを振り分けるようにしても良い。
【００９２】
（Ｃ−２）また、上述した第２の実施形態では、１個の移行元データを１個ずつ選択して、１個ずつ識別情報を変更する場合を例示した。しかし、第２の実施形態に係る図１４の対象情報検索表示画面５８０が、複数個の対象情報を選択することができるようにしても良い。これにより、複数個のデータ移行元の識別情報を一括して修正できるようにしても良い。
【００９３】
（Ｃ−３）上述した第２の実施形態では、第１の実施形態に係る構成要素を備えることを前提として説明した。しかし、第２の実施形態で説明した処理は、権限ある管理者の操作画面上で実施することができるものである。従って、第１の実施形態で説明した処理を備えない場合にも適用することができる。
【００９４】
（Ｃ−４）上述した第１の実施形態では、今回入力された識別情報が前回取引で入力された識別情報と一致する場合に、注意喚起のために確認画面を表示する場合を例示した。このとき、操作・表示部に確認画面を表示すると共に、音（例えばブザー音、アラーム音等）やガイダンス音声をスピーカから出力するようにしても良い。
【符号の説明】
【００９５】
１…現金処理機、２…操作・表示部、３…識別情報読取部、１０…主制御部、１１…取引処理部、１１１…識別情報取得部、１１２…識別情報確認部、１１３…確認画面表示部、１２…記憶部、１２１…取引情報ＤＢ（データベース）、１２２…識別情報記憶部、１３…操作・表示制御部、２１…取引情報管理部、２１１…権限確認部、２１２…対象情報検索表示部、２１３…データ修正部。
【図１】
0006471477.tif 000002
【図２】
0006471477.tif 000003
【図３】
0006471477.tif 000004
【図４】
0006471477.tif 000005
【図５】
0006471477.tif 000006
【図６】
0006471477.tif 000007
【図７】
0006471477.tif 000008
【図８】
0006471477.tif 000009
【図９】
0006471477.tif 000010
【図１０】
0006471477.tif 000011
【図１１】
0006471477.tif 000012
【図１２】
0006471477.tif 000013
【図１３】
0006471477.tif 000014
【図１４】
0006471477.tif 000015
【図１５】
0006471477.tif 000016
【図１６】
0006471477.tif 000017
【図１７】
0006471477.tif 000018
【図１８】
0006471477.tif 000019
【図１９】
0006471477.tif 000020